(57)【要約】【課題】装飾効果や演出効果の高いステージ構造を備えた弾球遊技機を提供する。【解決手段】遊技盤の遊技領域に可変表示ユニット１０が配設され、この可変表示ユニット１０が可変表示装置１４とその表示画面１４ａを包囲する装飾ケース１２とを備えると共に、この装飾ケース１２に、表示画面１４ａの下辺部に沿って延在するステージ１５と、入球した遊技球をステージ１５上に向けて排出するワープ通路２２が設けられているパチンコ機Ｐにおいて、ステージ１５にその後端側から表示画面１４ａの下辺部に向かって上り勾配で突出する傾斜面２３を一体成形し、この傾斜面２３に装飾用凸部２３ａを形成すると共に、ステージ１５の前端側に突堤壁２９，３０を一体成形し、これら突堤壁２９，３０の背面２９ａ，３０ａを底面１５ｂに向かって下り勾配で傾斜させた。【選択図】図４
2010227228.tif 000002
【特許請求の範囲】
【請求項１】
遊技盤の遊技領域に可変表示ユニットが配設され、この可変表示ユニットが表示装置と該表示装置の表示画面を包囲する装飾枠体とを備えると共に、前記装飾枠体に、前記表示画面の下辺部に沿って延在するステージと、入球した遊技球を前記ステージ上に向けて排出するワープ通路とが設けられている弾球遊技機において、
前記ステージは長手方向の中央部が両端部に比べて低い位置となる湾曲形状の底面を有しており、前記ステージの前端側に立設した突堤壁の背面を前記底面に向かって傾斜させると共に、前記ステージの後端側に前記底面から前記表示画面の下辺部に向かって上り勾配で突出する傾斜面を一体成形し、この傾斜面に装飾用凸部を形成したことを特徴とする弾球遊技機。
【請求項２】
請求項１の記載において、前記底面に前記ワープ通路の出口から排出された遊技球を前記ステージの中央部に向けて案内するガイド溝が形成されていることを特徴とする弾球遊技機。
【請求項３】
請求項１または２の記載において、前記装飾用凸部と前記傾斜面を含む他の部分とが異なる色の樹脂材料を用いて二色成形された一体成形品であることを特徴とする弾球遊技機。
【発明の詳細な説明】
【技術分野】
【０００１】
本発明は、遊技盤の遊技領域に可変表示ユニットが配設された弾球遊技機に係り、特に、可変表示ユニットの装飾枠に設けられたステージ構造に関するものである。
【背景技術】
【０００２】
パチンコ機に代表される弾球遊技機の中には、遊技盤の遊技領域に可変表示ユニットや始動入賞口を配設し、遊技領域に向けて発射された遊技球が始動入賞口に入球することを契機に電子抽選を行い、その抽選結果に基づいて可変表示ユニットの表示装置が図柄の変動表示および停止表示を行うようにした機種が存在する。電子抽選の抽選結果には当たり（当選）とハズレ（非当選）があり、抽選結果が当たりの場合には、可変表示ユニットの表示装置に所定の特別図柄の組み合わせが表示され、通常モードから特別遊技モードへと移行する。この特別遊技モードでは、例えばアタッカーを開放動作して露呈される大入賞口に遊技球が入るので、遊技者は多くの賞球を獲得できるようになっている。
【０００３】
可変表示ユニットは、液晶パネル（ＬＣＤ）からなる表示装置と、中央に開口を有する合成樹脂製の装飾枠体とを備えており、表示装置の表示画面は装飾枠体の開口から露出している。通常、装飾枠体の下壁部には左右方向へ延びるステージが一体成形されており、このステージの中央部に形成された溝の真下位置に始動入賞口が配置されている。また、装飾枠体の左側壁部には両端を遊技領域とステージに向けて開口したワープ通路が設けられており、可変表示ユニット近傍の遊技領域を流下する遊技球がワープ通路の入口に飛び込むと、この遊技球はワープ通路内を通過してステージ上に排出されるようになっている。これにより、ワープ通路の入口に飛び込んだ遊技球は、ステージ上を転動して中央部の溝まで導かれた後、溝から落下して始動入賞口に高い確率で入球することができる。
【０００４】
このような弾球遊技機において、装飾枠体には遊技者の目を惹き付ける種々の装飾が施されており、例えば、装飾枠体の右側壁部に複数の蒲鉾状レンズ部を列状に配置してなる装飾用凸部を一体成形し、装飾枠体の内部に配置したＬＥＤの光を各レンズ部で拡散して前方へ出射することにより、装飾用凸部の照射状態を遊技者に視認させるようにしたものが従来より知られている（例えば、特許文献１参照）。かかる従来の弾球遊技機によれば、スーパーリーチ時などにＬＥＤを点灯すると、装飾枠体の右側壁部に設けた装飾用凸部を透過して輝度の高い光が前方へ照射されるため、この照射光によって装飾効果や演出効果を高めることができる。
【先行技術文献】
【特許文献】
【０００５】
【特許文献１】特開２００４−５７２６５号公報
【発明の概要】
【発明が解決しようとする課題】
【０００６】
ところで、この種の弾球遊技機においては、遊技球が始動入賞口に入球することを契機に電子抽選が行われるため、ステージから始動入賞口に至る遊技球の高確ルートが遊技者にとって大きな関心事となり、遊技者は始動入賞口への導入路であるステージに注目しながら遊戯する傾向にある。そのため、前述した従来例のように装飾用凸部がステージから大きく離れた位置に配置されていると、遊技者の装飾用凸部に対する注目度が疎かになり、装飾用凸部による装飾効果や演出効果も必然的に低下してしまうという問題があった。
【０００７】
本発明は、このような従来技術の実情に鑑みてなされたもので、その目的は、装飾効果や演出効果の高いステージ構造を備えた弾球遊技機を提供することにある。
【課題を解決するための手段】
【０００８】
上記の目的を達成するために、本発明は、遊技盤の遊技領域に可変表示ユニットが配設され、この可変表示ユニットが表示装置と該表示装置の表示画面を包囲する装飾枠体とを備えると共に、前記装飾枠体に、前記表示画面の下辺部に沿って延在するステージと、入球した遊技球を前記ステージ上に向けて排出するワープ通路とが設けられている弾球遊技機において、前記ステージは長手方向の中央部が両端部に比べて低い位置となる湾曲形状の底面を有しており、前記ステージの前端側に立設した突堤壁の背面を前記底面に向かって傾斜させると共に、前記ステージの後端側に前記底面から前記表示画面の下辺部に向かって上り勾配で突出する傾斜面を一体成形し、この傾斜面に装飾用凸部を形成するという構成にした。
【０００９】
このように構成された弾球遊技機では、ステージの後端側から表示画面の下辺部に向かって傾斜面が上り勾配で突出し、この傾斜面に装飾用凸部が形成されているため、斜め上方からステージを注目する遊技者にとって装飾用凸部が正対することになり、装飾用凸部による装飾効果や演出効果を高めることができる。また、ステージの前端側にも突堤壁を立設し、この突堤壁の背面をステージの底面に向かって傾斜させたので、ワープ通路から排出された遊技球を突堤壁と傾斜面で挟まれたステージの底面上で確実に転動させることができ、ステージ上を転動する遊技球が傾斜面に乗り上げたり、突堤壁を越えて遊技領域にこぼれ落ちることを防止できる。
【００１０】
上記の構成において、ステージの底面にワープ通路の出口から排出された遊技球を中央部に向けて案内するガイド溝が形成されていると、ワープ通路から勢い良く飛び出した遊技球がガイド溝で位置規制されてからステージの長手方向へ案内されるため、遊技球をステージ上で確実に転動させることができて好ましい。
【００１１】
また、上記の構成において、装飾用凸部と傾斜面を含む他の部分とが異なる色の樹脂材料を用いて二色成形された一体成形品であると、装飾用凸部と周囲の傾斜面とを異なる配色で二色成形して装飾効果を著しく高めることができると共に、機械的強度の劣る装飾用凸部と傾斜面の接合部分に遊技球が衝突することを防止できて好ましい。
【発明の効果】
【００１２】
本発明の弾球遊技機は、ステージにその後端側から上り勾配で突出する傾斜面が一体成形されると共に、この傾斜面に装飾用凸部が形成されているため、斜め上方からステージを注目する遊技者にとって装飾用凸部が正対することになり、装飾用凸部による装飾効果や演出効果を高めることができる。また、ステージの前端側にも突堤壁が立設され、この突堤壁の背面をステージの底面に向かって傾斜させたので、ワープ通路から排出された遊技球を突堤壁と傾斜面で挟まれたステージの底面上で確実に転動させることができ、ステージ上を転動する遊技球が傾斜面に乗り上げたり、突堤壁を越えて遊技領域にこぼれ落ちることを防止できる。
【図面の簡単な説明】
【００１３】
【図１】本発明の可動役物装置が適用されたパチンコ機の外観を示す斜視図である。
【図２】図１のパチンコ機に備えられる遊技盤の正面図である。
【図３】図２の遊技盤に設けられた可変表示ユニットの正面図である。
【図４】該可変表示ユニットの斜視図である。
【図５】図３のＡ−Ａ線に沿う断面図である。
【図６】図３のＢ−Ｂ線に沿う断面図である。
【図７】図３のＣ−Ｃ線に沿う断面図である。
【図８】該可変表示ユニットに設けられたステージの一部を示す斜視図である。
【発明を実施するための最良の形態】
【００１４】
発明の実施の形態について図面を参照して説明すると、図１に示すように、本発明の実施形態例に係るパチンコ機Ｐは、遊技場の島設備に配置される機枠１と、機枠１に扉状に開閉自在に取り付けられた前面枠２と、前面枠２に収納保持された後述する遊技盤３と、前面枠２の前面に扉状に開閉自在に取り付けられたガラス扉４と、前面枠２の下方に配設された前面ボード５と、前面ボード５に取り付けられた発射ハンドル６等を具備しており、前面ボード５には受け皿７が設けられている。
【００１５】
図２に示すように、遊技盤３の盤面はガイドレール８等で囲まれた遊技領域９となっており、発射ハンドル６が遊技者によって任意角度に回転操作されると、図示せぬ発射装置が受け皿７に貯留された遊技球を遊技領域９に向けて連続的に打ち出すようになっている。遊技領域９の上部中央付近には可変表示ユニット１０が配設されており、この可変表示ユニット１０の左右両側が遊技球の流下通路となっている。可変表示ユニット１０は、中央部に開口１１を有する枠状の装飾ケース１２と、装飾ケース１２の右側部に配置された可動役物装置１３とを具備している。また、可変表示ユニット１０の裏面側には液晶パネル（ＬＣＤ）からなる可変表示装置１４が配設されており、この可変表示装置１４の表示画面１４ａは装飾ケース１２の開口１１から露出している。
【００１６】
装飾ケース１２には開口１１の下辺に隣接するステージ１５が設けられており、ステージ１５の中央部には溝１５ａが形成されている。この溝１５ａの真下位置には第１の始動入賞口１６が配設されており、第１の始動入賞口１６の右方には通過チャッカー１７と第２の始動入賞口１８が横一列に配設されている。第１の始動入賞口１６は上面に入賞孔が開口された単純構造の始動入賞口であるが、第２の始動入賞口１８は一対の可動片を有する電動チューリップ構造の始動入賞口となっている。そして、第１および第２の始動入賞口１６，１８のいずれか一方に遊技球が入賞すると、それを契機として特別図柄表示の電子抽選が行われ、可変表示装置１４の表示画面１４ａ上で図柄の変動表示と停止表示が行われる。また、通過チャッカー１７を遊技球が通過したことを契機に普通図柄表示の電子抽選が行われ、その抽選結果が当たりの場合に第２の始動入賞口１８の可動片を一時的に開放して遊技球の入球を許可するようになっている。
【００１７】
第１の始動入賞口１６の真下位置にはアタッカー１９が配設されており、このアタッカー１９によって図示せぬ大入賞口が覆われている。アタッカー１９は、第１および第２の始動入賞口１６，１８のいずれか一方に遊技球が入賞することを契機に行われる特別図柄表示の電子抽選の結果、当たりとなって大当たり遊技状態（特別遊技モード）に移行した場合に作動される装置である。具体的には、特別図柄表示の抽選結果が当たりの場合、可変表示装置１４の表示画面１４ａ上で図柄の変動表示を例えば「７７７」のように特定図柄で停止させると共に、アタッカー１９が複数回繰り返し開放動作して大入賞口を露呈させる。アタッカー１９は１回の開放動作について例えば３０秒通過するまで、あるいは遊技球が大入賞口に例えば１０個入球するまで開放状態を維持し、かかる開放動作を例えば１５回繰り返した後に大当たりが終了する。その他、遊技領域９には遊技球の払い出しのみを行う複数の一般入賞口２０が配設されており、いずれの始動入賞口１６，１８や一般入賞口２０にも入賞しなかった遊技球は、遊技領域９の最下端部に設けられたアウト口２１から遊技盤３の裏面側に排出されるようになっている。
【００１８】
図３と図４に示すように、前記装飾ケース１２には複数に分割された樹脂成形品２４，２５，２６が一体化されており、そのうち開口１１の左側に位置する樹脂成形品２４には中空構造のワープ通路２２が一体成形されている。このワープ通路２２の入口は可変表示ユニット１０の左側の遊技領域９に連通し、ワープ通路２２の出口２２ａはステージ１５の左端部に連通している。また、開口１１の右側に位置する樹脂成形品２５の前面には前述した可動役物装置１３が配置されており、この可動役物装置１３は第１の可動体２７と第２の可動体２８および図示せぬそれらの駆動機構等によって構成されている。ここで、第１の可動体２７はバナナを模した役物であり、この第１の可動体２７は図２の実線で示す起立姿勢と同図の２点破線で示す傾倒姿勢との間を揺動動作するようになっている。一方、第２の可動体２８は腰掛け姿勢の女性を模した役物であり、この第２の可動体２８は樹脂成形品２５の前方を上下方向へ往復移動するようになっている。
【００１９】
開口１１の下側に位置する樹脂成形品２６には前記ステージ１５と後述する傾斜面２３とが一体成形されている。ステージ１５は長手方向の中央部が両端部に比べて低い位置となる湾曲形状の底面１５ｂを有しており、この底面１５ｂの左側部はワープ通路２２の出口２２ａに連続し、底面１５ｂの右側部には樹脂成形品２５に一体成形された規制壁２５ａが対峙している。また、底面１５ｂの左側領域には断面半円弧状のガイド溝１５ｃが形成されており、このガイド溝１５ｃはワープ通路２２の出口２２ａからステージ１５の中央部に向かって細長形状に延びている。さらに、底面１５ｂの中央部には一対の規制突起１５ｄが形成されており、これら規制突起１５ｄの間に前記溝１５ａが形成されている。
【００２０】
ステージ１５の前端側には一対の突堤壁２９，３０が形成されており、これら突堤壁２９，３０は底面１５ｂの中央部を除く部位に立設されている。左側の突堤壁２９はその全範囲に亘ってほぼ同一高さに設定されており、図５に示すように、この突堤壁２９の背面２９ａは底面１５ｂに向かって下り勾配で傾斜している。一方、右側の突堤壁３０は中央部から右端部に向かって次第に高くなるように設定されており、図７に示すように、この突堤壁３０の背面３０ａも底面１５ｂに向かって下り勾配で傾斜している。また、図８に示すように、突堤壁３０の背面３０ａの傾斜角度は中央部から右端部に向かって次第に緩やかになっており、このような突堤壁３０によって底面１５ｂの右側領域は規制壁２５ａに向かって平面視先窄まり形状となっている。
【００２１】
図５〜図７に示すように、前記傾斜面２３はステージ１５の底面１５ｂの後端部から開口１１の下辺部に向かって上り勾配（約７０度）で突出しており、この傾斜面２３にはハート形状をなす３つの装飾突部２３ａが形成されている。各装飾用凸部２３ａとそれ以外の部分（ステージ１５や傾斜面２３）は異なる色の樹脂材料を用いて二色成形された一体成形品であり、本実施形態例の場合、各装飾用凸部２３ａを赤色の不透明樹脂を用い、それ以外を無色半透明な樹脂を用いて二色成形することにより、無色半透明な傾斜面２３に赤色の装飾用凸部２３ａが突出するという色鮮やかな装飾を実現している。なお、装飾用凸部２３ａはそれ自体でも高い装飾効果を有しているが、装飾用凸部２３ａの一部に光透過性樹脂からなる照光部を二色成形し、装飾用凸部２３ａの内部に配置したＬＥＤ等の光を照光部を透過して外部に出射するようにすれば、より高い装飾効果を期待することができる。
【００２２】
このようなステージ構造を備えたパチンコ機Ｐにおいて、可変表示ユニット１０の左側の遊技領域９を流下する遊技球がワープ通路２２の入口に入球すると、この遊技球はワープ通路２２の出口２２ａからステージ１５の底面１５ｂに対して勢い良く排出された後、ガイド溝１５ｃによってステージ１５の長手方向へ案内されながら底面１５ｂ上を転動する。この場合、遊技球は底面１５ｂの最も低い中央部を境に左右方向へ転動するという動作を繰り返すが、遊技球が底面１５ｂの右側領域を転動するときに、突堤壁３０の背面３０ａと傾斜面２３とで挟まれた先窄まり形状によってブレーキが掛けられる。これにより、底面１５ｂの中央部を通過する時点で遊技球の転動スピードが大き過ぎたとしても、この遊技球が底面１５ｂの右側領域を転動する際に十分に減速されるため、遊技球が規制壁２５ａに勢い良く衝突して不所望方向へ飛び出すことを防止できる。そして、遊技球がステージ１５上を左右に揺動しながら次第に減速していくと、この遊技球は底面１５ｂの中央部に形成された一対の規制突起１５ｄの間を通って溝１５ａから落下し、溝１５ａの真下に配置された第１の始動入賞口１６に高い確率で入球することとなる。
【００２３】
以上説明したように、本実施形態例に係るパチンコ機Ｐでは、ステージ１５にその後端側から表示画面１４ａの下辺部に向かって上り勾配で突出する傾斜面２３を一体成形し、この傾斜面２３に装飾用凸部２３ａを形成したので、斜め上方からステージ１５を注目する遊技者にとって装飾用凸部２３ａが正対することになり、装飾用凸部２３ａによる装飾効果や演出効果を高めることができる。しかも、ステージ１５の前端側に突堤壁２９，３０を一体成形し、これら突堤壁２９，３０の背面２９ａ，３０ａをステージ１５の底面１５ｂに向かって下り勾配で傾斜させたので、ワープ通路２２の出口２２ａから排出された遊技球を傾斜面２３と突堤壁２９，３０とで挟まれたステージ１５の底面１５ｂ上で確実に転動させることができ、ステージ１５上を転動する遊技球が傾斜面２３に乗り上げたり、突堤壁２９，３０を乗り越えて遊技領域９にこぼれ落ちることを防止できる。
【００２４】
また、装飾用凸部２３ａとそれ以外の部分（ステージ１５や傾斜面２３）とを異なる色の樹脂材料を用いて二色成形したので、装飾効果の高い装飾用凸部２３ａを容易に製造することができると共に、前述したように遊技球が傾斜面２３へ乗り上げないようになっているので、機械的強度の劣る装飾用凸部２３ａと傾斜面２３の接合部分に遊技球が衝突することを防止できる。
【符号の説明】
【００２５】
３  遊技盤
９  遊技領域
１０  可変表示ユニット
１１  開口
１２  装飾ケース
１３  可動役物装置
１４  可変表示装置
１４ａ  表示画面
１５  ステージ
１５ａ  溝
１５ｂ  底面
１５ｃ  ガイド溝
１５ｄ  規制突起
１６  第１の始動入賞口
１７  通過チャッカー
１８  第２の始動入賞口
２２  ワープ通路
２２ａ  出口
２３  傾斜面
２３ａ    装飾突部
２４，２５，２６  樹脂成形品
２５ａ  規制壁
２９，３０  突堤壁
２９ａ，３０ａ  背面
Ｐ  パチンコ機（弾球遊技機）
【図１】
2010227228.tif 000003
【図２】
2010227228.tif 000004
【図３】
2010227228.tif 000005
【図４】
2010227228.tif 000006
【図５】
2010227228.tif 000007
【図６】
2010227228.tif 000008
【図７】
2010227228.tif 000009
【図８】
2010227228.tif 000010